(57)【要約】【課題】搬送障害の媒体の確認を速やかに行なうことができ、短時間でジャム媒体を除去することができる。【解決手段】紙幣を搬送する搬送路に紙幣の有無を検知する紙幣検知手段Ｓ１〜Ｓ３６を複数配置し、紙幣検知手段Ｓ１〜Ｓ３６からの検知信号により紙幣の障害発生を検出する媒体処理装置５において、前記紙幣検知手段（Ｓ１６）と隣接する紙幣検知手段(Ｓ２１)との間を複数の区域ａ〜ｅに分割し、各区域ａ〜ｅにおける障害発生による紙幣残留確率が記憶される記憶部２３と、前記紙幣検知手段（Ｓ１６）と隣接する紙幣検知手段(Ｓ２１)の間に媒体の障害が発生した場合、前記各区域ａ〜ｅを前記残留確率に基づいて識別表示する表示部２４を設ける。【選択図】    図1
2010231280.tif 000002
【特許請求の範囲】
【請求項１】
媒体を搬送する搬送路に媒体の有無を検知する媒体検知手段を複数配置し、媒体検知手段からの検知信号により媒体の障害発生を検出する媒体処理装置において、
前記媒体検知手段と隣接する媒体検知手段との間を複数の区域に分割し、各区域における障害発生による残留情報が記憶される記憶部と、
前記媒体検知手段と隣接する媒体検知手段の間に媒体の障害が発生した場合、前記区域を前記残留情報に基づいて識別表示する表示部とを設けたことを特徴とする媒体処理装置。
【請求項２】
前記残留情報は設計データとして予め算出される残留確率である請求項１記載の媒体処理装置。
【請求項３】
前記表示部は、前記各区域を表示する部分が入力手段を構成し、
実際に媒体の障害が発生した区域が入力された場合、該区域の障害発生情報を前記記憶部に記憶する請求項１又は２記載の媒体処理装置。
【請求項４】
前記記憶部は前記複数の媒体検知手段が設けられるユニットとは別体に設けられる請求項３記載の媒体処理装置。
【請求項５】
請求項１乃至４のいずれか一に記載の媒体処理装置を有する自動取引装置。
【請求項６】
媒体を搬送する搬送路に配置された媒体検知手段からの検知信号を受信する媒体検知工程と、
前記媒体検知手段と隣接する媒体検知手段との間を複数の区域に分割し、各区域における障害発生による残留情報を記憶する残留情報記憶工程と、
前記媒体検知工程により前記媒体検知手段と隣接する媒体検知手段の間に媒体の障害を検知した場合、前記区域を前記残留情報記憶工程によって記憶した前記残留情報に基づいて識別表示する表示工程を含むことを特徴とする媒体処理方法。
【請求項７】
前記残留情報は、設計データとして予め算出される残留確率である請求項６記載の媒体処理方法。
【請求項８】
前記残留情報は、実際に媒体の障害が発生した区域の障害発生情報である請求項６記載の媒体処理方法。
【発明の詳細な説明】
【技術分野】
【０００１】
本発明は、媒体を搬送する媒体処理装置、特に媒体搬送に対する障害発生検知手段を有する媒体処理装置及び当該媒体処理装置を有する自動取引装置に関する。
【背景技術】
【０００２】
従来、媒体を搬送する搬送路を有する媒体処理装置においては、搬送路に沿って媒体の有無を検知する検知センサを配置し、検知センサ間で媒体が引っ掛かったり詰まったりした場合、媒体を最後に検知した検知センサとその下流側の検知センサとの間の搬送路で媒体ジャムが発生したことを検出していた。
【０００３】
例えば自動取引装置の媒体としての紙幣を搬送するユニットである紙幣入出金機においては、紙幣を搬送する搬送路にいくつかの検知センサを配置して紙幣の搬送状態を監視しており、紙幣ジャムを検出した場合、検出した搬送路を表示部で識別可能に表示することにより、紙幣のジャム位置をオペレータに知らせるようにしていた。
【０００４】
例えば下記特許文献１には、媒体としての用紙のジャムが発生した場合、残留用紙の位置を操作パネルに表示することが開示されており、更に用紙の残留した位置でどれ位の回数取り忘れがあったかに応じて異なるパターンで表示することも開示されている。
【先行技術文献】
【特許文献】
【０００５】
【特許文献１】特開平１０―２９７７９５号公報
【発明の概要】
【発明が解決しようとする課題】
【０００６】
しかしながら従来の技術においては、搬送路における障害があったとき、検知センサと検知センサの間の搬送路の全体を表示するので、特にその搬送路が長いと、その搬送路を確認してジャム媒体を除去するのに時間がかかるという問題があった。
【０００７】
本発明が解決しようとする課題は、媒体を搬送する媒体処理装置において、搬送障害の媒体の確認を速やかに行なうことができ、短時間でジャム媒体を除去することができる媒体処理装置を提供することである。
【課題を解決するための手段】
【０００８】
上記課題を解決するために本発明は、媒体を搬送する搬送路に媒体の有無を検知する媒体検知手段を複数配置し、媒体検知手段からの検知信号により媒体の障害発生を検出する媒体処理装置において、前記媒体検知手段と隣接する媒体検知手段との間を複数の区域に分割し、各区域における障害発生による残留情報が記憶される記憶部と、前記媒体検知手段と隣接する媒体検知手段の間に媒体の障害が発生した場合、前記区域を前記残留情報に基づいて識別表示する表示部とを設けたことを特徴とするものである。
【発明の効果】
【０００９】
上記構成を有する本発明によれば、媒体を搬送する搬送路における媒体検知手段と隣接する媒体検知手段の間の区間で媒体の障害が発生した場合、残留情報に基づいて区域を識別表示するようにしたので、障害媒体の確認を速やかに行なうことができる効果が得られる。また、媒体の障害を表示するために、媒体を搬送する搬送路全体について前記媒体検知手段を隈なく配設する必要がなく、少ない数の媒体検知手段により媒体の障害を表示することができるので、コストの上昇を抑えた媒体処理装置を提供することができる。
【図面の簡単な説明】
【００１０】
【図１】本発明の第１の実施の形態に係る紙幣入出金機を示す内部構成図である。
【図２】紙幣入出金機が内蔵される自動取引装置を示す構成図である。
【図３】第１の実施の形態の紙幣入出金機の制御系を示すブロック図である。
【図４】搬送路ブロックを示す説明図である。
【図５】第１の実施の形態における障害発生時の動作を示すフローチャートである。
【図６】第１の実施の形態における区域の識別表示の例を示す説明図である。
【図７】第２の実施の形態の紙幣入出金機の制御系を示すブロック図である。
【図８】第２の実施の形態における障害発生時の動作を示すフローチャートである。
【図９】第２の実施の形態における残留区域情報の入力案内画面を示す説明図である。
【図１０】第２の実施の形態における障害履歴表示画面を示す説明図である。
【図１１】第３の実施の形態における障害発生時の動作を示すフローチャートである。
【発明を実施するための形態】
【００１１】
＜第１の実施の形態＞
以下、本発明の実施の形態を図面に従って説明する。図２は紙幣入出金機５が内蔵される自動取引装置１を示す構成図である。なお以下に説明する各実施の形態では媒体処理装置として紙幣入出金機を例に説明する。まず図２に従って自動取引装置について説明する。同図において、自動取引装置１はカード処理部２、音声案内部３、通帳処理部４、紙幣入出金機５、硬貨入出金機６、顧客操作部７及び主制御部８を有する。
【００１２】
カード処理部２はキャッシュカード等の取引カードが保持するデータ及びカード表面のエンボスのイメージの読取りを行なう。音声案内部３は自動取引装置１の使用者に対して操作等の音声ガイダンスを行なう。通帳処理部４は、挿入された通帳に対して取引内容の印字処理や磁気データの更新等を行なう。紙幣入出金機５は、入金取引においては紙幣の計数、鑑別を行なって収納処理を行なうとともに、出金取引においては紙幣の繰出し、計数を行なって利用者への払出しを行なう。
【００１３】
硬貨入出金機６も同様に、入金取引においては硬貨の計数、鑑別を行なって収納処理を行なうとともに、出金取引においては硬貨の繰出し、計数を行なって利用者への払出しを行なう。顧客操作部７は、液晶表示部やタッチパネルを具備し、利用者に対して各種の操作ガイダンスを表示するとともに、利用者が必要な入力操作を行なう。主制御部８は上記各部の動作制御を行なう。
【００１４】
次に、図１により紙幣入出金機５について説明する。図１は本発明の第１の実施の形態に係る紙幣入出金機５を示す内部構成図である。紙幣入出金機５には、紙幣の入出金口を有する接客部１１、入金紙幣を一時保留する一時保留部１２、入金紙幣及び出金紙幣を鑑別して金種、真偽、正損を判定する鑑別部１３、入金された紙幣及び出金用の紙幣を金種別に収納する複数の金庫（１４Ａ〜１４Ｄ）を有する金庫部１４、入金又は出金に不適とされた紙幣等を収納するリジェクトカセット１５、顧客が出金取引時に取り忘れた紙幣を保管する取忘れカセット１６、金庫部１４に補充する紙幣及び金庫部１４から回収した紙幣を収納する補充回収カセット１７、及び補充回収カセット１７により紙幣を補充回収する際に入出金を行なう補回カセット入出金部１８が具備されている。そして上記各部間で紙幣を搬送する搬送路が設けられている。
【００１５】
本実施の形態では搬送路をいくつかのブロックＡ〜Ｅに分けている。そして各搬送路ブロックＡ〜Ｅ及び上述した各部には紙幣の有無を検知する検知センサＳ１〜Ｓ３６が設けられている。接客部１１には検知センサＳ１、Ｓ２、Ｓ３が配置され、搬送路ブロックＡには検知センサＳ４、Ｓ５が配置され、一時保留部１２には検知センサＳ６が配置され、搬送路ブロックＢには検知センサＳ７〜Ｓ１０が配置されている。鑑別部１３には検知センサＳ１１が配置され、搬送路ブロックＣには検知センサＳ１２、Ｓ１３が配置され、搬送路ブロックＤには検知センサＳ１６、Ｓ１７が配置されている。検知センサＳ１４は搬送路ブロックＢと搬送路ブロックＤを結ぶ搬送路上に配置され、検知センサＳ１５は搬送路ブロックＢと搬送路ブロックＥを結ぶ搬送路上に配置されている。
【００１６】
検知センサＳ１８〜Ｓ２１は搬送路ブロックＤと各金庫１４Ａ〜１４Ｄをそれぞれ結ぶ搬送路上に配置されている。金庫部１４内の各金庫１４Ａ〜１４Ｄにはそれぞれ検知センサＳ２２、Ｓ２３、Ｓ２４、Ｓ２５が配置されている。搬送路ブロックＥには検知センサＳ２６、Ｓ２７が配置され、搬送路ブロックＥからリジェクトカセット１５へつながる搬送路上に検知センサＳ２８、Ｓ２９が配置されている。また搬送路ブロックＢと補回カセット入出金部１８を結ぶ搬送路上に検知センサＳ３０が配置され、補回カセット入出金部１８内には検知センサＳ３１が配置されている。補充回収カセット１７には検知センサＳ３２、Ｓ３３が配置され、更に取忘れカセット１６には検知センサＳ３４が配置され、リジェクトカセット１５には検知センサＳ３５、Ｓ３６が配置されている。
【００１７】
図３は第１の実施の形態の紙幣入出金機５の制御系を示すブロック図である。なお図３には本発明に関連する部分のみ示してある。図３において、紙幣入出金機制御部２１は紙幣入出金機５の動作全体を制御するもので、紙幣入出金機制御部２１には係員操作部２２、記憶部２３及び図１で示した検知センサＳ１〜Ｓ３６が接続されている。係員操作部２２は保守時に係員が操作する部分で、保守画面表示部２４が具備されている。記憶部２３は、搬送路における或る検知センサとこれに隣接する検知センサとの間の区間を複数の区域に分け、各区域における紙幣詰まりなどが発生した場合の紙幣残留率を記憶している。
【００１８】
図４は搬送路ブロックＤを示す説明図である。図４において、例えば検知センサＳ２１と検知センサＳ１６との間の搬送路について、この区間を５つの区域（ａ〜ｅ）に分割する。区域aは搬送路Ｄ１から検知センサＳ２１方向への分岐点を含む区域で、区域bは検知センサＳ１４から搬送路Ｄ１への合流点を中心とする区域で、区域ｃは搬送路Ｄ１から検知センサＳ２０方向への分岐点を含む区域で、区域ｄは搬送路Ｄ１上の他の搬送路と分岐又は合流していない直線状の区域で、区域eは搬送路Ｄ１から検知センサＳ１９方向への分岐点を含む区域である。また、これらの区域ａ〜ｅには紙幣の有無を検知する検知センサは配置されていない。
【００１９】
以上の複数の区域ａ〜ｅにおいて、紙幣を検知センサＳ２１から検知センサＳ１６方向へ搬送して紙幣詰まり（ジャム）などが発生した場合に、紙幣が残留している確率（検知センサＳ２１と検知センサ１６の間の区間におけるその区域に紙幣が残留する確率）を記憶部２３に記憶しておくのである。例えば区域a：１０％、区域ｂ：７０％、区域ｃ：１０％、区域ｄ：５％、区域e：５％というような確率を記憶する。これらの値は設計評価におけるデータを参考にして予め記憶部２３に格納される。同じ区間でも紙幣の搬送方向が異なる場合には確率が異なることがある。
【００２０】
次に第１の実施の形態の動作を説明する。図５は第１の実施の形態における障害発生時の動作を示すフローチャートである。紙幣入出金機制御部２１は、各検出センサＳ１〜Ｓ３６からの出力信号により障害の発生を確認する（ステップＳ１０１）。検知センサＳ１〜Ｓ３６でどこに紙幣が詰まっているかを確認する。
【００２１】
次に紙幣が最後に通過した検知センサから紙幣が残留している箇所を特定する（ステップＳ１０２）。例えば出金取引において金庫部１４の金庫１４Ｄから紙幣を繰り出して接客部１１へ搬送する場合、検知センサＳ２１を通り、搬送路ブロックＤの検知センサＳ１６方向へ紙幣を搬送する。このとき、検知センサＳ２１は通過したものの一定時間経過しても検知センサＳ１６を通過しない場合、紙幣は図４に示す区域a〜区域eのいずれかの区域に残留していると推測できる。
【００２２】
次に紙幣が残留していると推測される区間における各区域について、図３に示す記憶部２３を参照してそれぞれの残留確率を残留情報として識別可能に係員操作部２２の保守画面表示部２４に表示する（ステップＳ１０３）。例えば上述の検知センサＳ２１から検知センサＳ１６までの区間においては、各区域の紙幣残留確率がそれぞれ、区域a：１０％、区域ｂ：７０％、区域ｃ：１０％、区域ｄ：５％、区域e：５％とすると、確率の高い区域ｂを赤で表示し、その他の区域を黄色で表示する。この表示例を図６に示す。図６は第１の実施の形態における区域の識別表示の例を示す説明図である。同図では区域ｂはハッチングで図示し、その他の区域は網掛けで図示する。
【００２３】
紙幣残留確率に応じた区域の色分け表示により、係員は紙幣残留確率の最も高い区域から紙幣の残留の有無を確認する（ステップＳ１０４）。図６に示す例の場合、係員は赤色で表示された区域ｂを最初に確認すると、区域ｂは搬送路の合流部があることなどから紙幣残留確率が最も高くなっており、この区域ｂを確認することにより、残留紙幣が発見される可能性が最も高い。従って残留紙幣の除去作業を速やかに終了させることができる。係員により残留紙幣が発見されると、残留紙幣は装置外へ除去される（ステップＳ１０５）。
【００２４】
以上のように第１の実施の形態においては、紙幣詰まりなどの障害が発生した場合、予め記憶部２３にパラメータとして記憶している紙幣残留情報としての紙幣残留確率により障害が発生した区間における各区域を色分けして表示するようにしたので、紙幣の残留確率の高い区域を逸早く確認することができ、残留紙幣の早期発見につながり、保守作業の時間短縮が実現されるという効果が得られる。また、紙幣詰まりなどの障害を表示するために、媒体を搬送する搬送路、例えば上述の検知センサＳ２１から検知センサＳ１６までの区間において、前記媒体検知手段を隈なく配設する必要がなく、少ない数の検知センサにより媒体の障害を表示することができるという効果が得られる。
【００２５】
＜第２の実施の形態＞
次に本発明の第２の実施の形態を説明する。図７は第２の実施の形態の紙幣入出金機の制御系を示すブロック図である。図７において、第２の実施の形態の紙幣入出金機制御部３１は紙幣入出金部５の動作全体を制御するもので、紙幣入出金機制御部３１には係員操作部２２、記憶部３２及び第１の実施の形態で説明した検知センサＳ１〜Ｓ３６が接続されている。
【００２６】
係員操作部２２には保守画面表示部３３が具備され、保守画面表示部３３には図示していないがタッチパネルが具備されている。記憶部３２には第１の実施の形態と同様に紙幣入出金機５の搬送路の各区間における区域毎の紙幣残留情報としての紙幣残留確率を記憶しているとともに、各区域の新たな障害情報を記憶する機能を有する。そして記憶部３２は紙幣入出金機５の筺体の外側に設けられた制御基板に設けられている。
【００２７】
次に第２の実施の形態の動作を説明する。図８は第２の実施の形態における障害発生時の動作を示すフローチャートである。このフローチャートにおけるステップＳ２０１からステップＳ２０５までは図５に示す前記第１の実施の形態のステップＳ１０１からステップＳ１０５までと同様であるので、説明を省略する。
【００２８】
ステップＳ２０５において係員による残留紙幣の除去が確認されると、保守画面表示部３３に図９に示す画面が表示される。図９は、第２の実施の形態における残留区域情報の入力案内画面を示す説明図である。入力案内画面は保守画面表示部３３のタッチパネルに表示し、実際に紙幣が残留した区域をタッチさせることにより、残留区域情報の入力を促す。図９に示す入力案内画面において、係員が実際に紙幣が残留していた区域を入力すると、その入力は保守画面表示部３３のタッチパネルにより受け付けられる（ステップＳ２０６）。紙幣入出金機制御部３１は、入力された区域情報を受けると、該当する区域の残留紙幣有回数を加算し、記憶部３２へ格納する（ステップＳ２０７）。
【００２９】
このように紙幣入出金機制御部３１は、紙幣詰まりなどの障害が発生する毎に、残留紙幣のあった区域の情報として紙幣残留の発生回数を加算し、記憶部３２に格納する。従って記憶部３２には、１つの区域について設計データとしての紙幣残留確率情報と、紙幣残留の発生回数が格納される。係員は保守時などに障害の履歴を見たい場合、区域ごとに障害（紙幣残留）の履歴を見ることができる（ステップＳ２０８）。即ち、係員操作部２２において必要な操作をすると、図１０に示すように、まず「履歴を表示したい区域をタッチしてください」の案内が保守画面表示部３３に表示される。
【００３０】
図１０は第２の実施の形態における障害履歴表示画面を示す説明図である。係員が履歴を見たい区域をタッチすると、同図に示すように、タッチした区域の設計データとしての紙幣残留確率と、実際に発生した障害の回数が表示される。図１０では区域ｂの発生件数が例として表示されている。またこのとき同時に、タッチした区域が含まれる区間の全体の障害件数も表示され、設計データとの比較を行なうことができる。なお、確認したい区間において最近障害が発生した区域を知らせるようにしてもよい。
【００３１】
以上のように第２の実施の形態によれば、第１の実施の形態の奏する効果に加えて、紙幣詰まりなどの障害が発生した場合に、障害が発生した区域の障害発生件数を加算して記憶部３２に格納するようにしたので、係員は区域毎の実際の障害履歴を確認することができる。従って、どの区域に紙幣が残留しやすいのかを係員が把握できるようになり、残留紙幣を更に発見し易くなるとともに、保守作業を更に短縮することができる。また記憶部３２を紙幣入出金機５の筺体外に設けるようにしたので、紙幣入出金機５を保守などで交換する場合でも各区域の障害情報は保存される。
【００３２】
＜第３の実施の形態＞
次に第３の実施の形態を説明する。第３の実施の形態の紙幣入出金機は第２の実施の形態と同様に、紙幣残留確率情報と実際の障害発生情報を区域毎に記憶する記憶部を有するものであるが、第３の実施の形態の記憶部は図２に示す自動取引装置１の主制御部８に具備される。その他の構成は第２の実施の形態と同様である。
【００３３】
次に第３の実施の形態の動作を説明する。図１１は第３の実施の形態における障害発生時の動作を示すフローチャートである。図１１におけるステップＳ３０１からステップＳ３０６までは図８に示す第２の実施の形態のステップＳ２０１からステップＳ２０６までと同様であるので説明を省略する。
【００３４】
ステップＳ３０７において、第３の実施の形態の紙幣入出金機制御部は、入力された区域情報を受けると、該当する区域の残留紙幣有回数を加算し、主制御部８の記憶部に格納する（ステップＳ３０７）。このように第３の実施の形態においては、紙幣詰まりなどの障害が発生する毎に、紙幣残留の発生回数が加算されて主制御部８の記憶部に格納される。そして係員は区域毎に障害の履歴を見ることができる（ステップＳ３０８）。以上のように第３の実施の形態によれば、第２の実施の形態と同様の効果を奏する。
【００３５】
上記各実施の形態においては自動取引装置の紙幣搬送路を有する紙幣入出金機を例にとって説明したが、本発明はこのほかに、自動取引装置のほかのユニット、例えばカード処理部や硬貨入出金部、或いは無人契約機などにも適用することが可能である。なお硬貨入出金部の場合、硬貨が本発明における媒体に相当する。
【符号の説明】
【００３６】
１            自動取引装置
５            紙幣入出金機
Ａ〜Ｅ        搬送路ブロック
Ｓ１〜Ｓ３６  検知センサ
２１          紙幣入出金機制御部
２３          記憶部
２２          係員操作部
２４          保守画面表示部
【図１】
2010231280.tif 000003
【図２】
2010231280.tif 000004
【図３】
2010231280.tif 000005
【図４】
2010231280.tif 000006
【図５】
2010231280.tif 000007
【図６】
2010231280.tif 000008
【図７】
2010231280.tif 000009
【図８】
2010231280.tif 000010
【図９】
2010231280.tif 000011
【図１０】
2010231280.tif 000012
【図１１】
2010231280.tif 000013